(57)【特許請求の範囲】
【請求項１】
光を発生するための発光手段と、前記発光手段からの光を映像としてディスプレーするためのディスプレーユニットにガイドするための導光手段と、前記導光手段と前記ディスプレーユニットとの間に配置されて前記導光手段からの光の輝度を向上させるための光制御手段とを含み、
前記光制御手段は、反射偏光フィルムを含み、
前記反射偏光フィルムの第１面はマット形態を有するように形成され、第２面はエンボシング形態を有するように形成され
ることを特徴とするバックライトアセンブリ。
【請求項２】
前記反射偏光フィルムの上面は前記ディスプレーユニットと直接的に密着して設置されることを特徴とする請求項１に記載のバックライトアセンブリ。
【請求項３】
前記光制御手段と前記導光手段との間に配置されて前記導光手段からの光の集光効率を向上させるための少なくとも一つのプリズムフィルムをさらに含むことを特徴とする請求項１に記載のバックライトアセンブリ。
【請求項４】
前記プリズムフィルムの前記導光手段と対向する面はエンボシングとマットのうちのいずれか一つの形態を有するように形成されることを特徴とする請求項３に記載のバックライトアセンブリ。
【請求項５】
前記光制御手段と前記ディスプレーユニットとの間に配置されて前記光の干渉現象を防止するための保護手段をさらに含むことを特徴とする請求項１に記載のバックライトアセンブリ。
【請求項６】
光の提供を受けて映像をディスプレーするための液晶パネルを有するディスプレーユニットと、光を発生させるための発光手段と、前記光を前記ディスプレーユニットの液晶パネルへガイドするための導光手段と、前記導光手段とディスプレーユニットとの間に配置されて前記導光手段からの光の輝度を向上させる光制御手段と、を備え、
前記光制御手段は、反射偏光フィルムを含み、
前記反射偏光フィルムの第１面はマット形態を有するように形成され、第２面はエンボシング形態を有するように形成されるバックライトアセンブリを含むことを特徴とする液晶表示装置。
【請求項７】
前記反射偏光フィルムの上面は前記ディスプレーユニットと直接的に密着して設置されることを特徴とする請求項６に記載の液晶表示装置。
【請求項８】
前記光制御手段と前記導光手段との間に配置されて前記導光手段からの光の集光効率を向上させるための少なくとも一つのプリズムフィルムをさらに含むことを特徴とする請求項６に記載の液晶表示装置。
【請求項９】
前記プリズムフィルムの前記導光手段と対向する面はエンボシングとマットのうちのいずれか一つの形態を有するように形成されることを特徴とする請求項８に記載の液晶表示装置。
【請求項１０】
前記光制御手段と前記ディスプレーユニットとの間に配置されて前記光の干渉現象を防止するための保護手段をさらに含むことを特徴とする請求項６に記載の液晶表示装置。
【発明の詳細な説明】
【０００１】
【発明の属する技術分野】
本発明は液晶表示装置に関するものであり、より詳細には、バックライトアセンブリに用いられる光学シートまたはプリズムの密着によるシートカールを防止することができるバックライトアセンブリ及びこれを有する液晶表示装置に関するものである。
【０００２】
【従来の技術】
一般的に、液晶表示装置は液晶の特別な分子配列に電圧を印加して異なる分子配列へ変換させ、このような分子配列により発光する液晶セルの複屈折性、旋光性、２色性及び光散乱特性などの光学的性質の変化を視覚変化へ変換して、映像を表示するディスプレーである。
【０００３】
液晶表示装置は大きくＴＮ（Ｔｗｉｓｔｅｄ  Ｎｅｍａｔｉｃ）方式とＳＴＮ（Ｓｕｐｅｒ−Ｔｗｉｓｔｅｄ  Ｎｅｍａｔｉｃ）方式に分かれ、駆動方式の差異に従ってスイッチング素子及びＴＮ液晶を利用したアクティブマトリックス（Ａｃｔｉｖｅ  ｍａｔｒｉｘ）表示方式とＳＴＮ液晶を利用したパッシブマトリックス（Ｐａｓｓｉｖｅ  ｍａｔｒｉｘ）表示方式に区分される。
【０００４】
この二つ方式の大きな差異点は、アクティブマトリックス表示方式はＴＦＴ−ＬＣＤに使用され、これはＴＦＴをスイッチとして利用してＬＣＤを駆動する方式であり、パッシブマトリックス表示方式はトランジスターを使用しないのでこれと関連した複雑な回路を必要としない。
【０００５】
液晶表示装置は、自体的に発光しない受動光素子であるので、液晶パネルの後面に付着されたバックライトアセンブリを利用して画像をディスプレーさせる。
【０００６】
最近、製品の競争力を確保するために小型化及び軽量化のためにいろいろの構造が開発されている。特に、液晶表示装置が主に携帯用コンピュータなどに使用される点に照らして軽量化はより大事に扱われている。
【０００７】
このような液晶表示装置において特に、バックライトアセンブリの役割と機能が段々大事な課題として扱われているが、これはバックライトアセンブリの構造に従って液晶表示装置の大きさ及び光効率などが大きく異なり、全体的な液晶表示装置の機械的/光学的特性が影響を受けるためである。
【０００８】
このような液晶表示装置に使用される一般的なバックライトアセンブリの構造が米国特許第５、４６７、２０８号に開示されている。
【０００９】
図１は、従来の液晶表示装置のバックライトアセンブリを概略的に示した斜視図であり、図２は図１に図示されたバックライトアセンブリの一構造を示した図面であり、そして、図３は図２に図示されたバックライトアセンブリの異なる構造を示した図面である。
【００１０】
図１及び図２を参照すれば、バックライトアセンブリは光を発生するためのランプ１２、ランプ１２から光をガイドするための導光板２０、及びランプ１２を覆うように導光板２０の一側面に設置されるランプカバー１４を具備する。ランプ１２は冷陰極管が主に使用され、ランプ１２から発生される光は導光板２０の側面を通じて入射される。ランプカバー１４の内面は反射板として形成され、ランプ１２からの光を導光板２０に反射させて光の効率を向上させる。
【００１１】
導光板２０はランプ１２からの光がその上部に設置されるＬＣＤパネル４０側に進行されるようにガイドし、基底面には前記光の進行方向をＬＣＤパネル４０側に変換するための微細なドットパターンのような各種パターンが印刷される（図面には図示せず）。
【００１２】
導光板２０の下には反射板２２が設置され、導光板２０の上には拡散シート３２、第１プリズムシート３４、第２プリズムシート３６及び保護フィルム３８が順次に積層される。
【００１３】
反射板２２は導光板２０の印刷パターンによって拡散シート３２の方向へ反射されずに漏洩される光を導光板２０側に反射させてＬＣＤパネル４０に入射される光の損失を減らすことと同時に導光板２０の上部面に透過される光の均一度を向上させる。
【００１４】
前記導光板２０と第１プリズムシート３４の間に位置した拡散板３２は導光板２０から入射される光を分散して光の部分的な密集現象を防止する。前記拡散板３２の前面及び背面にはビーズ３２ａ、３２ｂが形成されて反射板２２から反射された光の光束分布を均一にする。
【００１５】
前記拡散板３２の上部に順次に積層された第１及び第２プリズムシート３４、３６の上面には各々多数の三角形のプリズムが形成されている。第１及び第２プリズムシート３４、３６は光束の分散を狭めて正面輝度を上昇させるために拡散板３２によって拡散された光をＬＣＤパネル４０と平行な平面に対し直交する第１及び第２方向に集光する。
【００１６】
前記第２プリズムシート３６とＬＣＤパネル４０の間には保護フィルム３８が位置する。保護フィルム３８は第２プリズムシート３６の表面を保護し、その上面に多数のアクリルのビーズ３８ａが形成されて前記第１及び第２プリズムシート３４、３６によるモアレ及び虹現象を防止する。このようにランプ１２から発生されて多数の光学的シートを通過した光はＬＣＤパネル４０によって映像として表示される。
【００１７】
一方、モニター装置では水平視野角が重視されるので、正面輝度を向上させる集光特性を有するプリズムシートを１枚のみ使用する構造も広く使用されている。この場合、集光特性を有するプリズムシートの一方を省略したことにより低下される視野角別輝度を改善するために光の全体的な輝度を増加させながら視野角別輝度特性を向上させる反射偏光フィルムが使用される。
【００１８】
図３は光の集光のために１枚のプリズムシートのみを使用し、視野角別輝度特性を改善するための反射偏光フィルムが使用されるモニター装置の例を示す。
【００１９】
図示したように、第１プリズムシート３４と保護フィルム３８の間には反射偏光フィルム３９が位置するが、この反射偏光フィルム３９は保護フィルム３８と接する上面及び第１プリズムシート３４と接する下面が滑らかに形成されている。
【００２０】
このような、光学シートで構成される従来バックライトアセンブリは次のような問題点を有する。第１として、プリズムシートの上面に形成されたプリズムは一定な形態のリッジ（ｒｉｄｇｅ）を与えるように形成されているために、その上に位置する他のプリズムシート又は反射偏光フィルムなどとの密着によってシートカール現象が発生される。第２として、プリズムシートを１枚としてそれと共に反射偏光フィルムを採用した場合、反射偏光フィルムと下面のプリズムシート間、及び反射偏光フィルムと上面の保護フィルム間の接触面積が相当に広くて摩擦係数が増加することにつれて光学シート間にシートカールが発生される。第３として、バックライトアセンブリに使用される上述したような光学シートは合成樹脂で形成されるために静電気が発生され易く、この静電気によって光学シートが互いに密着されるのでシートカールが発生される。
【００２１】
【発明が解決しようとする課題】
従って、本発明の一目的はバックライトアセンブリに採用される光学シート又はプリズムの密着によるシートカールを防止することができるバックライトアセンブリを提供するものである。
【００２２】
本発明の異なる目的は、バックライトアセンブリに採用される光学シート又はプリズムの密着によるシートカールを防止することができるバックライトアセンブリを有する液晶表示装置を提供するものである。
【００２３】
【課題を解決するための手段】
上述した目的を達成するための本発明に従うバックライトアセンブリは、光を発生するための発光部と、前記光が入力されて映像をディスプレーするためのディスプレーユニットにガイドするための導光部と、前記導光部とディスプレーユニット間に挿入されて、前記導光部からの光の輝度を向上させるための光制御部を含む。ここで、前記光制御部は前記ディスプレーユニットと対向する上面と前記導光部と対向する下面のうちで少なくとも一面が非平坦に形成される。
【００２４】
上述した目的を達成するための本発明に従う液晶表示装置は、光の提供を受けて映像をディスプレーするための液晶パネルを有するディスプレーユニットと、光を発生するための発光部と、前記光を前記ディスプレーユニットの液晶パネルへガイドするための導光部と、そして前記導光部とディスプレーユニット間に挿入されて前記導光部からの光の輝度を向上させ、前記ディスプレーユニットと対向する上面と、前記導光部と対向する下面のうちで少なくとも一面が非平坦に形成される光制御部を有するバックライトアセンブリを含む。
【００２５】
ここで、前記光制御部の１つの例は、前記導光部から出射される光の輝度を向上させるための反射偏光フィルムである。前記反射偏光フィルムの上面は前記ディスプレーユニットと直接的に密着して設置され、前記反射偏光フィルムの上面はマット形態を有し、下面はエンボシング形態を有する。
【００２６】
前記光制御部と前記導光部との間に配置されて前記導光部からの光の集光効率を向上させるための少なくとも一つのプリズムフィルムをさらに含むことができる。この時、前記プリズムフィルムの前記導光部と対向する面はエンボシングとマットのうちのいずれか一つの形態を有するように形成される。
【００２７】
かつ、前記光制御部と前記ディスプレーユニットの間に配置されて前記光の干渉現象を防止するための保護フィルムをさらに含ませることができる、この場合には前記光制御部の上面及び下面がエンボシング形態を有する。
【００２８】
このような、バックライトアセンブリ及び液晶表示装置に従うと、液晶表示装置で視野角別輝度特性を改善するために使用される反射偏光フィルムの上面はエンボシング又はマット形態を有するように形成され、下面はエンボシング形状を有するように形成される。かつ、プリズムシートの下面はエンボシング形状を有するように形成される。
【００２９】
従って、バックライトアセンブリの導光板とＬＣＤパネル間に配置される多数の光学シート間の接触面積が減少され、摩擦係数が最小化されることにつれて光学シート間の密着によるシートカール現象を防止することができる。
【００３０】
【発明の実施の形態】
以下、図面を参照して本発明の望ましい一実施形態によるバックライトアセンブリ及びこれを有する液晶表示装置の構成をより詳細に説明する。
【００３１】
図４は本発明の望ましい一実施形態に従う液晶表示装置のバックライトアセンブリを示した分解斜視図である。図４では１枚のプリズムシートと反射偏光フィルムを採用した例を一実施形態として図示したが、後述される本発明の実施形態は２枚のプリズムシートと反射偏光フィルムを使用する場合にも同一に適用される。
【００３２】
図４を参照すれば、本発明に従う液晶表示装置のバックライトアセンブリはランプユニット１００と導光ユニット３００を有する。前記ランプユニット１００は光を発生するためのランプ１０２及び前記ランプ１０２を覆って保護し、前記ランプ１０２から発生される光を前記導光ユニット３００側に反射して光の効率を向上させるためのランプカバー１０４を具備する。前記ランプ１０２としては冷陰極管が主に使用される。
【００３３】
前記導光ユニット３００は前記ランプ１０２からの光をガイドするための導光板２０２を有する。前記導光板２０２の下面には反射板２０４が形成され、前記導光板２０２の上面には拡散シート３１０、第１プリズムシート３２０、第１反射偏光フィルム３３０及び保護フィルム３４０が順次に積層される。
【００３４】
前記保護フィルム３４０の上面には前記導光板２０２によってガイドされ、多数の光学シートを通じて提供される光に応答して映像をディスプレーするためのＬＣＤパネル４００が位置する。
【００３５】
前記導光板２０２の一側面には前記ランプ１０２及びランプカバー１０４が設置され、前記導光板２０２は前記ランプ１０２からの光がその上部に配置されるＬＣＤパネル４００側に進行されるようにガイドする。前記導光板２０２の基底面には前記ランプ１０２から提供される光の進行方向を前記ＬＣＤパネル４００側に変換するための微細なドットパターンのような各種パターンが印刷される（図面には図示せず）。
【００３６】
前記反射板２０４は前記導光板２０２の印刷パターンによって前記ＬＣＤパネル４００側に反射されずに漏洩される光を前記導光板２０２側に反射させる。これによって、前記ＬＣＤパネル４００に入射される光の損失が減られることと同時に前記導光板２０２の上部面に透過される光の均一度が向上される。
【００３７】
前記導光板２０２と第１プリズムシート３２０の間に位置した拡散シート３１０は前記導光板２０２から入射される光を分散して光の部分的な密集現象を防止する。図４では図示しなかったが、前記拡散シート３１０の前面及び背面には多数のビーズ３１２、３１４が形成されて前記反射板２０４から反射される光の光束分布を均一にする。
【００３８】
前記拡散シート３１０の上部に位置した第１プリズムシート３２０の上面には多数の三角形プリズムが形成されている。第１プリズムシート３２０は視野角を狭めて正面輝度を上昇させるために前記拡散シート３１０によって拡散された光を前記ＬＣＤパネル４００と平行の平面に対し直交する特定方向に集光する。
【００３９】
前記第１プリズムシート３２０とＬＣＤパネル４００の間には第１反射偏光フィルム３３０と保護フィルム３４０が位置する。
【００４０】
前記第１反射偏光フィルム３３０はモニター装置の水平視野角別輝度を改善するために前記第１プリズムシート３２０によって集光された光の全体的な輝度を増加させる。
【００４１】
前記保護フィルム３４０はその下面に配置される光学シートの表面を保護し、その上面に多数のアクリルビーズ（図４に図示せず）が形成されて前記第１プリズムシート３２０によるモアレ及び虹現象を防止する。
【００４２】
このように前記ランプ１０２から発生されて多数の光学的なシートを通過した光は前記ＬＣＤパネル４００によって映像として表示される、一方、前記第１反射偏光フィルム３３０の上面及び下面はエンボシング（ｅｍｂｏｓｓｉｎｇ・・微小な浮き出し状の凸部）又はマット（ｍａｔｔｅ・・つや消し）の形態を有するように形成して前記保護フィルム３４０を除去することができるが、これに関連しては次図面を参照して詳細に説明する。
【００４３】
図５乃至図９は図４に図示されたバックライトアセンブリの多様な構造を示した図面である。
【００４４】
まず、図５を参照すれば、前記導光板２０２とＬＣＤパネル４００との間には前記拡散シート３１０、第１プリズムシート３２０、第１反射偏光フィルム３３０及び保護フィルム３４０が順次に積層される。前記拡散シート３１０の上面及び下面には上述したように前記反射板２０４から反射される光の光束分布を均一にするための多数のビーズ３１２、３１４が形成される。
【００４５】
かつ、前記保護フィルム３４０の上面は、前記第１プリズムによるモアレ及び虹現象を防止するためにマット３４１が処理されており、前記第１反射偏光フィルム３３０の上面及び下面はエンボシング処理がされて不規則的な表面形態を有する。
【００４６】
前記第１反射偏光フィルム３３０の上面及び下面がエンボシング形態を有するように形成されると、前記第１反射偏光フィルム３３０の上面と前記保護フィルム３４０の下面、そして前記第１反射偏光フィルム３３０の下面と前記第１プリズムシート３２０の上面間の接触面積が大きく減少される。
【００４７】
従って、前記第１反射偏光フィルム３３０の上面と前記保護フィルム３４０の下面、そして前記第１反射偏光フィルム３３０の下面と前記第１プリズムシート３２０の上面間の摩擦係数が減少されて前記導光板２０２とＬＣＤパネル４００との間に配置される光学シート間のシートカール現象を防止することができる。
【００４８】
図６は前記第１反射偏光フィルム３３０の異なる形態として第２反射偏光フィルム３３１を示した図面である。
【００４９】
図６に図示された第２反射偏光フィルム３３１は前記ＬＣＤパネル４００と一体形として形成される。この時、前記保護フィルム３４０は前記ＬＣＤパネル４００と一体形に形成された前記第２反射偏光フィルム３３１と第１プリズムシート３２０の間に位置する。
【００５０】
このように、前記第２反射偏光フィルム３３１がＬＣＤパネル４００と一体で形成される場合には、前記第２反射偏光フィルム３３１の下面がエンボシング形態を有する。従って、下面の保護フィルム３４０との間の密着性によってシートカールが発生されることを防止することができる。
【００５１】
一方、前記第１反射偏光フィルム３３０の表面形状を図７に図示された第３反射偏光フィルム３３２におけるように保護フィルムと合体させた形態で形成すれば、上述した光学シートの表面保護及びプリズムシートによるモアレ及び虹現象を防止するために使用される前記保護フィルム３４０を除去することもできる。
【００５２】
即ち、図７を参照すれば、前記導光板２０２とＬＣＤパネル４００の間には拡散シート３１０、第１プリズムシート３２０及び第３反射偏光フィルム３３２のみが順次に積層される。同様に、前記拡散シート３１０の上面及び下面には上述したように前記反射板２０４から反射される光の光束分布を均一するための多数のビーズ３１２、３１４が形成される。
【００５３】
前記第３反射偏光フィルム３３２の下面は前記第１プリズムシート３２０の上面のプリズムとの密着性を防止するためにエンボシング３３２ｂの形状を有するように形成され、前記第３反射偏光フィルム３３２の上面はマット３３２ａの処理をされる。ここでは、前記第３反射偏光フィルム３３２の上面がマット３３２ａの処理をされるので、前記第１プリズムシート３２０によるモアレ及び虹現象が防止されることができる。
【００５４】
上述した反射偏光フィルムと他の光学シート間の密着性とは異なり、バックライトアセンブリではプリズムシート間の密着性によるシートカール現象が発生することもある。特に、２枚以上のプリズムシートを使用したり上述した拡散シートを使用しない場合に、このようなシートカール現象が発生することがあるが、これを防止することができるプリズムシートの表面形状が図８及び図９に図示されている。図８及び図９に図示されたプリズムシートの形状は図５乃至図７に図示された第１プリズムシートにも同一に適用されることができる。
【００５５】
図８を参照すれば、前記導光板２０２とＬＣＤパネル４００の間には図７に図示された第１プリズムシート３２０の変形形態として第２プリズムシート３２１及び第３反射偏光フィルム３３２が順次に積層される。即ち、前記第２プリズムシート３２１は前記導光板２０２の上面に直接密着して配置される。
【００５６】
前記第３反射偏光フィルム３３２の下面は前記第２プリズムシート３２１の上面のプリズムとの密着性を防止するためにエンボシング３３２ｂの形状を有するように形成され、前記第３反射偏光フィルム３３２の上面は前記第２プリズムシート３２１によるモアレ及び虹現象を防止するためにマット３３２ａの処理をされる。そして、前記第２プリズムシート３２１の下面は導光板２０２との接触面積を減少させるためにその下面が第３反射偏光フィルム３３２の下面と同様にエンボシング３２１ａの形状を有するように形成される。従って、拡散シートを使用しないために前記第２プリズムシート３２１を前記導光板２０２の上面に直接密着させることになってっも第２プリズムシート３２１と導光板２０２間の接触面積が大きく減少されるために、これら間のシートカールが防止される。
【００５７】
図９は２枚のプリズムシート及び保護フィルム３４０を使用し、拡散シートを使用しない場合を示す。
【００５８】
図９を参照すれば、前記導光板２０２とＬＣＤパネル４００の間には第２プリズムシート３２１、第３プリズムシート３５０、第４反射偏光フィルム３３４及び保護フィルム３４０が順次に積層されている。
【００５９】
前記第２プリズムシート３２１は前記導光板２０２との間の接触面積を減少させるためにエンボシング３２１ａの形状に形成された下面を有する。そして、第３プリズムシート３５０の下面は前記第２プリズムシート３２１の上面のプリズムとの接触面積を最小化するために同様にエンボシング３５０ａの形状に形成される。
【００６０】
前記第４反射偏光フィルム３３４は前記保護フィルム３４０及び前記第３プリズムシート３５０との間の接触面積を最小化するために上面及び下面が前記第１反射偏光フィルム３３０と同様にエンボシング形状を有するように形成される。かつ、前記第４反射偏光フィルム３３４とＬＣＤパネル４００間に配置された前記保護フィルム３４０は前記第２及び第３プリズムシート（３２１、３５０）によるモアレ及び虹現象を防止するためにその上面がマット３４１の処理をされる。万一、前記第４反射偏光フィルム３３４が図７又は図８に図示された前記第３反射偏光フィルム３３２のように下面がエンボシング形状を有し、上面がマット処理されば、図９においても前記保護フィルム３４０が省略されることができる。
【００６１】
【発明の効果】
上述したようなバックライトアセンブリ及び液晶表示装置に従うと、液晶表示装置で視野角別輝度特性を改善するために使用される反射偏光フィルムの上面はエンボシング又はマット形態を有するように形成され、下面はエンボシング形状を有するように形成される。かつ、プリズムシートの下面はエンボシング形状を有するように形成される。
【００６２】
従って、バックライトアセンブリの導光板とＬＣＤパネルの間に配置される多数の光学シート間の接触面積が減少され、摩擦係数が最小化されることにつれて光学シートの密着によるシートカール現象を防止することができる。
【００６３】
かつ、前記反射偏光フィルムの上面がマット形態で処理される場合、前記プリズムシートによる光のモアレ及び虹現象が前記反射偏光フィルムによって防止されることができるために、バックライトアセンブリの保護フィルムを除去することができる。そして、プリズムシートの下面をエンボシング形状に形成すると、拡散シートを除去してもプリズムシートを導光板に直接密着させることによって発生されるシートカールを防止することができる。
【００６４】
以上、本発明の実施形態によって詳細に説明したが、本発明はこれに限定されず、本発明が属する技術分野において通常の知識を有するものであれば本発明の思想と精神を離れることなく、本発明を修正または変更できるであろう。
【図面の簡単な説明】
【図１】  従来の液晶表示装置のバックライトアセンブリを概略的に示した分解斜視図である。
【図２】  図１に図示されたバックライトアセンブリの光学シートの一構造を示した図面である。
【図３】  図２に図示されたバックライトアセンブリの光学シートの異なる構造を示した図面である。
【図４】  本発明の望ましい一実施形態に従う液晶表示装置のバックライトアセンブリを示した分解斜視図である。
【図５】  図４に図示されたバックライトアセンブリの光学シートの１つの変形例の構造を示した図面である。
【図６】図４に図示されたバックライトアセンブリの光学シートのさらに他の変形例の構造を示した図面である。
【図７】図４に図示されたバックライトアセンブリの光学シートのさらの他の変形例の構造を示した図面である。
【図８】図４に図示されたバックライトアセンブリの光学シートのさらに他の変形例の構造を示した図面である。
【図９】図４に図示されたバックライトアセンブリの光学シートのさらに他の変形例の構造を示した図面である。
【符号の説明】
１００    ランプユニット
１０２    ランプ
１０４    ランプカバー
２０４    反射板
３００    導光ユニット
３１０    拡散シート
３１２、３１４    ビーズ
３２０、３２１    プリズムシート
３３０、３３１、３３２、３３４    反射偏光フィルム
３４０    保護フィルム
３４１    マット
４００    ＬＣＤパネル
【図１】
0004771611.tif 000002
【図２】
0004771611.tif 000003
【図３】
0004771611.tif 000004
【図４】
0004771611.tif 000005
【図５】
0004771611.tif 000006
【図６】
0004771611.tif 000007
【図７】
0004771611.tif 000008
【図８】
0004771611.tif 000009
【図９】
0004771611.tif 000010